(57)【要約】【課題】分離用補強線を介して分離される包装用フィルムが、分離用補強線が延びる方向に複数連続してなる包装用フィルムシートにおいて、包装用フィルム単位に破断される際の破断領域がずれることを考慮しながらも、連続方向に直交する方向に引っ張り力が加わった場合に裂けにくく、かつ、包装用フィルム単位に破断した後に包装用フィルムを分離用補強線によって分離しやすくする。【解決手段】ティアテープ６を介して２つに分離される包装用フィルム３が、ティアテープ６が延びる方向に複数連続してなる包装用フィルムシート１において、ティアテープ６の両側に沿う領域のうち複数の包装用フィルム３の境界を含む領域に、ティアテープ６が延びる方向に配列した複数の切り込み７ａ〜７ｄを設ける。【選択図】図１
2011240956.tif 000002
【特許請求の範囲】
【請求項１】
分離用補強線を介して分離される包装用フィルムが、前記分離用補強線が延びる方向に複数連続してなる包装用フィルムシートにおいて、
前記分離用補強線の両側に沿う領域のうち前記複数の包装用フィルムの境界を含む領域に、前記分離用補強線が延びる方向に配列した複数の切り込みを有する包装用フィルムシート。
【請求項２】
請求項１に記載の包装用フィルムシートにおいて、
前記複数の切り込みは、前記分離用補強線が延びる方向に延びた形状を有し、その一方側の端部から前記分離用補強線が延びる方向に直交する方向に延びる延長線が、当該切り込みに対して前記一方側にて隣接する切り込みに交差するように配置されている包装用フィルムシート。
【請求項３】
請求項１に記載の包装用フィルムシートが破断されてなる包装用フィルムであって、
前記包装用フィルムシートが破断された破断辺には、前記分離用補強線の両側に沿う領域に前記複数の切り込みの少なくとも一部が配置されている包装用フィルム。
【発明の詳細な説明】
【技術分野】
【０００１】
本発明は、分離用補強線を介して分離される包装用フィルムが連続してなる包装用フィルムシートに関し、特に、包装用フィルム単位に破断された場合に、分離用補強線によって分離を開始する開始端を生成する技術に関する。
【背景技術】
【０００２】
従来より、苺や葡萄等の食料品を透明なプラスチック容器に入れて販売することが行われている。このようなプラスチック容器は、開口面を有しており、この開口面から食料品を入れた後、開口面を包装用フィルムでラッピングすることにより、食料品がプラスチック容器からこぼれ落ちないようにして販売される。このような包装用フィルムは、例えば、包装用フィルムが連続した包装用フィルムシートを用い、この包装用フィルムシートを熱によって破断することによって作製されている。
【０００３】
上述したような包装用フィルムにおいては、包装後に開封しやすくするために開封用テープを用いて２つに分離可能な構成とすることが考えられている（例えば、特許文献１参照。）。開封用テープは、分離用補強線として設けられ、包装用フィルムを構成するフィルムにティアテープを貼り付けたり、印刷を施したりすることにより、破断力が強い部分を形成することができ、それにより、包装用フィルムを２つにきれいに分離可能としている。
【０００４】
このように開封用テープを用いた場合、開封用テープの端部を摘みやすい構成としておくことが好ましい。そこで、上述したように包装用フィルムが連続した包装用フィルムシートにおいて、開封用テープの両側に沿う領域のうち包装用フィルムの境界部分に予め切り込みを入れておくことが考えられる。
【０００５】
図６は、包装用フィルムが連続してなる包装用フィルムシートの一例を示す図であり、（ａ）は外観斜視図、（ｂ）は表面図である。
【０００６】
本例における包装用フィルムシートは図６に示すように、透明な材料からなる複数の包装用フィルム６０３が連続したウェブ状のものであり、芯材６０２に巻き取られた状態となっている。包装用フィルムシート６０１の裏面には、包装用フィルムシート６０１の連続方向の両側部に沿って粘着剤が塗布されており、それにより、包装用フィルムシート６０１の連続方向の両側部に沿った領域が貼着部６０４となっている。また、包装用フィルムシート６０１の裏面には、包装用フィルムシート６０１の連続方向に延びた分離用補強線となるティアテープ６０６が貼着されており、これは、ＰＥＴ（ポリエチレンテレフタレート）等の切断が困難な材料から構成されている。そして、包装用フィルムシート６０１のティアテープ６０６の両側に沿う領域のうち包装用フィルム６０３の境界部分に、包装用フィルムシート６０１の連続方向に延びたカット部６０５が形成されている。
【０００７】
上記のように構成された包装用フィルムシート６０１は、包装用フィルム６０３の境界部分を熱によって破断して包装用フィルム６０３として用いられる。包装用フィルムシート６０１が破断されてなる包装用フィルム６０３は、食料品等が入れられた容器の開口面を覆うようにして貼着部６０４によって容器に貼着され、その後、包装用フィルム６０３がティアテープ６０６によって２つに分離されることにより、容器に入れられた食料品等が取り出されることになる。ここで、包装用フィルム６０３の境界部分には、ティアテープ６０６の両側に沿うようにカット部６０５が形成されているため、包装用フィルムシート６０１を包装用フィルム６０３単位に破断すると、包装用フィルム６０３の破断辺においてティアテープ６０６が貼着された領域のみを捲り上げることができるようになり、ティアテープ６０６による包装用フィルム６０３の分離開始端部が摘みやすくなる。このカット部６０５においては、包装用フィルムシート６０１を包装用フィルム６０３単位に破断する処理を手作業で行う場合等にその破断領域がずれることを考慮して、一定以上の長さをもって形成しておく必要がある。
【先行技術文献】
【特許文献】
【０００８】
【特許文献１】意匠登録第１３８２７４７号公報
【発明の概要】
【発明が解決しようとする課題】
【０００９】
図７は、図６に示した包装用フィルムシート６０１に対して包装用フィルムシート６０１の連続方向に直交する方向に引っ張り力が加わった場合の作用を説明するための図である。
【００１０】
図６に示した包装用フィルムシート６０１においては、上述したように、包装用フィルムシート６０１を包装用フィルム６０３単位に破断した際にティアテープ６０６による分離開始端部を摘みやすくするために、ティアテープ６０６の両側に沿う領域に、包装用フィルムシート６０１の連続方向に延びたカット部６０５が形成されている。ところが、そのカット部６０５が、上述したように、包装用フィルムシート６０１を包装用フィルム６０３単位に破断する際にその破断領域がずれることを考慮して一定以上の長さを有するものとなっているため、包装用フィルムシート６０１に対して連続方向に直交する方向に引っ張り力が加わった場合、図７に示すように、包装用フィルムシート６０１がカット部６０５から裂けてしまうという問題点がある。
【００１１】
本発明は、上述したような従来の技術が有する問題点に鑑みてなされたものであって、分離用補強線を介して分離される包装用フィルムが、分離用補強線が延びる方向に複数連続してなる包装用フィルムシートにおいて、包装用フィルム単位に破断される際の破断領域がずれることを考慮しながらも、連続方向に直交する方向に引っ張り力が加わった場合に裂けにくく、かつ、包装用フィルム単位に破断した後に包装用フィルムを分離用補強線によって分離しやすくすることができる包装用フィルムシートを提供することを目的とする。
【課題を解決するための手段】
【００１２】
上記目的を達成するために本発明は、
分離用補強線を介して分離される包装用フィルムが、前記分離用補強線が延びる方向に複数連続してなる包装用フィルムシートにおいて、
前記分離用補強線の両側に沿う領域のうち前記複数の包装用フィルムの境界を含む領域に、前記分離用補強線が延びる方向に配列した複数の切り込みを有する。
【００１３】
上記のように構成された本発明においては、包装用フィルムを分離するための分離用補強線の両側に沿う領域のうち複数の包装用フィルムの境界を含む領域に切り込みが設けられているので、包装用フィルムシートが包装用フィルム単位に破断された後、この切り込みによって分離用補強線による分離開始端部から包装用フィルムを分離しやすくなる。また、この切り込みが、分離用補強線が延びる方向に配列して複数設けられているので、包装用フィルム単位に破断される際の破断領域がずれたとしても、分離用補強線による分離開始端部から包装用フィルムを分離しやすくなる効果を維持できる。また、切り込みを複数設けることによって、包装用フィルム単位に破断される際の破断領域のずれが考慮されているので、連続方向に直交する方向に引っ張り力が加わった場合に裂けにくくすることができる。
【００１４】
また、複数の切り込みが、分離用補強線が延びる方向に延びた形状を有し、その一方側の端部から分離用補強線が延びる方向に直交する方向に延びる延長線が、その切り込みに対して前記一方側にて隣接する切り込みに交差するように配置されている構成とすれば、包装用フィルムシートを包装用フィルム単位に破断した場合に、その破断辺には必ず切り込みが存在することとなり、それにより、包装用フィルムの破断辺において分離用補強線が設けられた領域のみを捲り上げることができるようになり、分離用補強線による包装用フィルムの分離開始端部が摘みやすくなる。
【００１５】
また、上述した包装用フィルムシートが破断されてなる包装用フィルムとしては、包装用フィルムシートが破断された破断辺には、分離用補強線の両側に沿う領域に複数の切り込みの少なくとも一部が配置されている構成となることが考えられる。
【発明の効果】
【００１６】
以上説明したように本発明においては、包装用フィルムを分離するための分離用補強線の両側に沿う領域のうち複数の包装用フィルムの境界を含む領域に切り込みを有する構成としたため、包装用フィルムシートが包装用フィルム単位に破断された後、この切り込みによって分離用補強線による分離開始端部から包装用フィルムを分離しやすくすることができ、また、この切り込みが、分離用補強線が延びる方向に配列して複数設けられているため、包装用フィルム単位に破断される際の破断領域がずれたとしても、分離用補強線による分離開始端部から包装用フィルムを分離しやすくなる効果を維持でき、かつ、連続方向に直交する方向に引っ張り力が加わった場合に裂けにくくすることができる。
【００１７】
また、複数の切り込みが、分離用補強線が延びる方向に延びた形状を有し、その一方側の端部から分離用補強線が延びる方向に直交する方向に延びる延長線が、その切り込みに対して前記一方側にて隣接する切り込みに交差するように配置されている構成としたものにおいては、包装用フィルムシートを包装用フィルム単位に破断した場合に、その破断辺には必ず切り込みが存在することとなり、それにより、包装用フィルムの破断辺において分離用補強線が設けられた領域のみを捲り上げることができるようになり、分離用補強線による包装用フィルムの分離開始端部を摘みやすくすることができる。
【図面の簡単な説明】
【００１８】
【図１】本発明の包装用フィルムシートの実施の一形態を示す図であり、（ａ）は外観斜視図、（ｂ）は表面図、（ｃ）は（ａ），（ｂ）に示した分離開始端形成部の詳細な構成を示す図である。
【図２】図１に示した包装用フィルムシートを包装用フィルム単位に断裁した時までの作用を説明するための図であり、（ａ）は包装用フィルムシートに対して包装用フィルムシートの連続方向に直交する方向に引っ張り力が加わった場合の作用を説明するための図、（ｂ）は包装用フィルムシートを包装用フィルム単位に断裁した際の包装用フィルムの破断辺の状態を示す図である。
【図３】図１に示した包装用フィルムシートが破断された包装用フィルムの使用時の作用を説明するための図であり、（ａ）は包装用フィルムの使用状態を示す図、（ｂ）は包装用フィルムを２つに分離し始める状態を示す図、（ｃ）は包装用フィルムが２つに分離していく際の分離開始端形成部の状態を示す図、（ｄ）は包装用フィルムがティアテープによって２つに分離していく状態を示す図である。
【図４】図１に示した分離開始端形成部の他の実施の形態を示す図である。
【図５】図４に示した分離開始端形成部にて包装用シートが分離していく状態を示す図である。
【図６】包装用フィルムが連続してなる包装用フィルムシートの一例を示す図であり、（ａ）は外観斜視図、（ｂ）は表面図である。
【図７】図６に示した包装用フィルムシートに対して包装用フィルムシートの連続方向に直交する方向に引っ張り力が加わった場合の作用を説明するための図である。
【発明を実施するための形態】
【００１９】
以下に、本発明の実施の形態について図面を参照して説明する。
【００２０】
図１は、本発明の包装用フィルムシートの実施の一形態を示す図であり、（ａ）は外観斜視図、（ｂ）は表面図、（ｃ）は（ａ），（ｂ）に示した分離開始端形成部５の詳細な構成を示す図である。
【００２１】
本形態は図１に示すように、透明な材料からなる複数の包装用フィルム３が連続したウェブ状のものであり、芯材２に巻き取られた状態となっている。包装用フィルムシート１の裏面には、包装用フィルムシート１の連続方向の両側部に沿って粘着剤が塗布されており、それにより、包装用フィルムシート１の連続方向の両側部に沿った領域が貼着部４となっている。また、包装用フィルムシート１の裏面には、包装用フィルムシート１の連続方向、すなわち、包装用フィルム３が連続した方向に延びた分離用補強線となるティアテープ６が貼着されており、これは、ＰＥＴ等の切断が困難な材料から構成されている。そして、包装用フィルムシート１のティアテープ６の両側に沿う領域のうち包装用フィルム３の境界部分に、包装用フィルムシート１の連続方向に延びた分離開始端形成部５が設けられている。この分離開始端形成部５は、包装用フィルムシート１の連続方向、すなわちティアテープ６が延びる方向に配列した４つの切り込み７ａ〜７ｄから構成されている。それにより、包装用フィルムシート１のティアテープ６の両側に沿う領域のうち包装用フィルム３の境界部分を含む領域に、ティアテープ６が延びる方向に配列した４つの切り込み７ａ〜７ｄが設けられていることになる。これら４つの切り込み７ａ〜７ｄはそれぞれ、略ヘの字形状を有し、長辺がティアテープ６と並行しており、短辺はその長辺のティアテープ６による包装用フィルム３の分離開始端側の端部からティアテープ６側に斜めに延びて構成されている。それにより、ティアテープ６が延びる方向に延びた形状を有している。また、切り込み７ａ〜７ｄは、ティアテープ６が延びる方向についての一方側の端部となる、ティアテープ６による包装用フィルム３の分離開始端側の端部、すなわち短辺の長辺とは反対側の端部から、ティアテープ６が延びる方向に直交する方向に延びる延長線が、切り込み７ａ〜７ｃに対してティアテープ６による包装用フィルム３の分離開始端側にそれぞれ隣接する切り込み７ｂ〜７ｄに交差するように配置されている。例えば、切り込み７ａにおいては、図１（ｃ）中Ａ点から、ティアテープ６が延びる方向に直交する方向に延びる延長線が切り込み７ｂと交差するように配置されている。なお、図１においては、包装用フィルム３の境界部分を破線にて示してあるが、この領域にはミシン目等は形成されていない。
【００２２】
以下に、上記のように構成された包装用フィルムシート１の使用方法について説明する。
【００２３】
まず、包装用フィルムシート１を包装用フィルム３単位に破断した時までの作用について説明する。
【００２４】
図２は、図１に示した包装用フィルムシート１を包装用フィルム３単位に断裁した時までの作用を説明するための図であり、（ａ）は包装用フィルムシート１に対して包装用フィルムシート１の連続方向に直交する方向に引っ張り力が加わった場合の作用を説明するための図、（ｂ）は包装用フィルムシート１を包装用フィルム３単位に断裁した際の包装用フィルム３の破断辺の状態を示す図である。
【００２５】
図１に示した包装用フィルムシート１には、包装用フィルムシート１のティアテープ６の両側に沿う領域のうち包装用フィルム３の境界部分に、包装用フィルムシート１が包装用フィルム３単位に破断された後、包装用フィルム３をティアテープ６を用いて２つに分離しやすくするために包装用フィルムシート１の連続方向に延びた分離開始端形成部５が設けられている。そして、この分離開始端形成部５が、ティアテープ６が延びる方向に配列した４つの切り込み７ａ〜７ｄからなるものであるため、包装用フィルムシート１を破断する際にその破断領域がずれた場合であっても、その破断辺に分離開始端形成部５を存在させることができ、また、そのように破断領域がずれた場合を考慮しながらも、分離開始端形成部５を４つの切り込み７ａ〜７ｄから構成することによって、図２（ａ）に示すように包装用フィルムシート１に対して包装用フィルムシート１の連続方向に直交する方向に引っ張り力が加わった場合であっても、包装用フィルムシート１を裂けにくくすることができる。
【００２６】
図１に示した包装用フィルムシート１は、包装用フィルム３の境界部分を熱によって破断して包装用フィルム３として用いられる。その際、包装用フィルム３の境界部分には、４つの切り込み７ａ〜７ｄがティアテープ６が延びる方向に配列してなる分離開始端形成部５が設けられており、また、これら４つの切り込み７ａ〜７ｄが、ティアテープ６が延びる方向について、ティアテープ６による包装用フィルム３の分離開始端側の端部から、ティアテープ６が延びる方向に直交する方向に延びる延長線が、その切り込み７ａ〜７ｃに対してティアテープ６による包装用フィルム３の分離開始端側に隣接する切り込み７ｂ〜７ｄに交差するように配置されているため、包装用フィルムシート１を包装用フィルム３単位に破断した際にその破断領域がずれた場合であっても、図２（ｂ）に示すように、その破断辺には必ず切り込みが存在することとなる。
【００２７】
次に、図１に示した包装用フィルムシート１が破断された包装用フィルム３の使用時の作用について説明する。
【００２８】
図３は、図１に示した包装用フィルムシート１が破断された包装用フィルム３の使用時の作用を説明するための図であり、（ａ）は包装用フィルム３の使用状態を示す図、（ｂ）は包装用フィルム３を２つに分離し始める状態を示す図、（ｃ）は包装用フィルム３が２つに分離していく際の分離開始端形成部５の状態を示す図、（ｄ）は包装用フィルム３がティアテープ６によって２つに分離していく状態を示す図である。
【００２９】
図１に示した包装用フィルムシート１は上述したようにして包装用フィルム３単位に破断され、包装用フィルム３は図３（ａ）に示すように、食料品等が入れられた容器１０の開口面にかけられ、貼着部４によって容器１０に貼着されて使用される。このように、食料品等が入れられた容器１０の開口面を、図１に示した包装用フィルムシート１から１枚ずつに破断された包装用フィルム３でラッピングすることにより、食料品等が容器１０からこぼれ落ちないようになる。この際、包装用フィルム３の破断辺には、上述したように分離開始端形成部５によって分離開始端５ａが形成されている。
【００３０】
その後、容器１０に入れられた食料品等を取り出す場合、包装用フィルム３を、分離開始端５ａからティアテープ６を持ち上げることによって破断していく。この際、分離開始端５ａとなる包装用フィルム３の端部には、上述したように切り込みが必ず存在しているため、図３（ｂ）に示すように、包装用フィルム３の端部においてティアテープ６が設けられた領域のみを捲り上げることができるようになり、ティアテープ６による包装用フィルム３の分離開始端５ａを摘みやすくすることができる。なお、本形態においては、分離開始端５ａとなる包装用フィルム３の端部に切り込み７ｃが存在しており、それにより、分離開始端５ａが摘みやすくなっている。
【００３１】
包装用フィルム３の分離開始端５ａを摘み上げ、上方もしくは包装用フィルム３の分離開始端５ａとは反対側に引っ張っていくと、切り込み７ｃの分離開始端５ａとは反対側の端部からティアテープ６に沿う領域が破断していくことになるが、切り込み７ｃの分離開始端５ａとは反対側の端部においては、ティアテープ６に沿う領域が破断する力がティアテープ６側に向くように作用する。そのため、この状態で分離開始端５ａを上方もしくは包装用フィルム３の分離開始端５ａとは反対側に引っ張ると、包装用フィルム３は切り込み７ｃの分離開始端５ａとは反対側の端部からティアテープ６側に向くように破断していく。ところが、この破断方向には、切り込み７ｃに隣接する切り込み７ｂが存在するため、図３（ｃ）に示すように、破断部分が切り込み７ｂと繋がることになる。そして、同様にして切り込み７ｂと切り込み７ａとが繋がり、ティアテープ６に沿う領域が破断していく。
【００３２】
そして、ティアテープ６に沿う領域の破断部分が切り込み７ａの分離開始端５ａとは反対側の端部に達すると、上記同様にティアテープ６に沿う領域が破断する力がティアテープ６側に向くように作用するため、その破断部分がティアテープ６に達し、ティアテープ６がＰＥＴ等の切断が困難な材料からなるものであることから、その後、図３（ｄ）に示すようにティアテープ６に沿う領域が破断し、包装用フィルム３が２つに分離していくことになる。
【００３３】
なお、分離開始端５ａを引っ張っていく方向によっては、ティアテープ６の沿う領域が破断する力が、ティアテープ６の両側のそれぞれにてティアテープ６側に向くように作用しない場合があるが、その場合でも、ティアテープ６の両側に沿う領域のうち一方においては、破断する力がティアテープ６に向くように作用するため、ティアテープ６の両側のうち、その一方の切り込み７ａ〜７ｄが上記のように繋がり、また、その後、破断部分がティアテープ６に達し、ティアテープ６に沿う領域が破断していくことになる。
【００３４】
（他の実施の形態）
図４は、図１に示した分離開始端形成部５の他の実施の形態を示す図である。
【００３５】
図１に示した分離開始端形成部５としては、図１に示したような、長辺がティアテープ６と並行し、その長辺のティアテープ６による包装用フィルム３の分離開始端側の端部からティアテープ６側に斜めに短辺が延びて構成された略ヘの字形状を有する４つの切り込み７ａ〜７ｄからなるものに限らない。
【００３６】
例えば、図４（ａ）に示すように、かぎ状の４つの切り込み１０７ａ〜１０７ｄが、ティアテープ６による包装用フィルム３の分離開始端側がティアテープ６に近接するような向きで配列したものや、図４（ｂ）に示すように、略ヘの字形状を有する４つの切り込み２０７ａ〜２０７ｄが図１に示したものとは反対側の向きに配列したものや、図４（ｃ）に示すように、Ｙ字形状を有する４つの切り込み３０７ａ〜３０７ｄが、Ｙ字の長辺が、ティアテープ６による包装用フィルム３の分離開始端側とは反対側にてティアテープ６に並行して配列したものや、図４（ｄ）に示すように、Ｓ字形状を有する４つの切り込み４０７ａ〜４０７ｄが、ティアテープ６が延びる方向に一部重なるように配列したものや、図４（ｅ）に示すように、ティアテープ６の両側において、４つの直線状の切り込み５０７ａ〜５０７ｄと切り込み５０８ａ〜５０８ｄとが互い違いとなるように配置されたもの等が考えられる。なお、図４（ａ）〜（ｄ）に示した形状においても、図１に示したものと同様に、切り込み１０７ａ〜１０７ｄ，２０７ａ〜２０７ｄ，３０７ａ〜３０７ｄ，４０７ａ〜４０７ｄが、ティアテープ６が延びる方向について、ティアテープ６による包装用フィルム３の分離開始端側の端部から、ティアテープ６が延びる方向に直交する方向に延びる延長線が、切り込み１０７ａ〜１０７ｃ，２０７ａ〜２０７ｃ，３０７ａ〜３０７ｃ，４０７ａ〜４０７ｃに対して包装用フィルム３の分離開始端側にて隣接する切り込み１０７ｂ〜１０７ｄ，２０７ｂ〜２０７ｄ，３０７ｂ〜３０７ｄ，４０７ｂ〜４０７ｄに交差するように配置されていることにより、包装用フィルムシート１を包装用フィルム３単位に破断した場合に、その破断辺には必ず切り込みが存在することとなる。また、図４（ｅ）に示したものにおいては、切り込み５０７ａ〜５０７ｄ，５０８ａ〜５０８ｄのそれぞれが、ティアテープ６が延びる方向について、ティアテープ６による包装用フィルム３の分離開始端側の端部から、ティアテープ６が延びる方向に直交する方向に延びる延長線が、切り込み５０７ａ〜５０７ｃ，５０８ａ〜５０８ｃに対して包装用フィルム３の分離開始端側にて隣接する切り込み５０７ｂ〜５０７ｄ，５０８ｂ〜５０８ｄに交差するように配置されていないが、ティアテープ６の両側で見た場合、ティアテープ６が延びる方向について、切り込み５０７ａ〜５０７ｄのティアテープ６による包装用フィルム３の分離開始端側の端部から、ティアテープ６が延びる方向に直交する方向に延びる延長線が、切り込み５０８ａ〜５０８ｄとそれぞれ交差しており、また、ティアテープ６が延びる方向について、切り込み５０８ａ〜５０８ｃのティアテープ６による包装用フィルム３の分離開始端側の端部から、ティアテープ６が延びる方向に直交する方向に延びる延長線が、切り込み５０７ｂ〜５０７ｄとそれぞれ交差しているため、包装用フィルムシート１を包装用フィルム３単位に破断した場合に、その破断辺には必ず切り込みが存在することとなる。
【００３７】
図５は、図４に示した分離開始端形成部５にて包装用シート３が分離していく状態を示す図である。
【００３８】
分離開始端形成部５が図４（ａ）に示したような構成である場合は、包装用フィルム３の分離開始端５ａを摘み上げ、上方もしくは包装用フィルム３の分離開始端５ａとは反対側に引っ張っていくと、切り込み１０７ｄの分離開始端５ａとは反対側の端部からティアテープ６に沿う領域が破断していく。そして、切り込み１０７ｄの分離開始端５ａとは反対側の端部においては、ティアテープ６に沿う領域が破断する力がティアテープ６側に向くように作用するため、図５（ａ）に示すように、包装用フィルム３が切り込み１０７ｄの分離開始端５ａとは反対側の端部からティアテープ６側に向くように破断していき、この破断方向に存在する切り込み１０７ｃと繋がり、同様にして破断部分が切り込み１０７ａ，１０７ｂと繋がり、ティアテープ６に沿う領域が破断し、その後、ティアテープ６に沿って包装用フィルム３が２つに分離していく。
【００３９】
また、分離開始端形成部５が図４（ｂ）に示したような構成である場合は、包装用フィルム３の分離開始端５ａを摘み上げ、上方もしくは包装用フィルム３の分離開始端５ａとは反対側に引っ張っていくと、切り込み２０７ｄの分離開始端５ａとは反対側の端部からティアテープ６に沿う領域が破断していく。そして、切り込み２０７ｄの分離開始端５ａとは反対側の端部においては、ティアテープ６に沿う領域が破断する力がティアテープ６側に向くように作用するため、図５（ｂ）に示すように、包装用フィルム３が切り込み２０７ｄの分離開始端５ａとは反対側の端部から特にティアテープ６側に向くように破断していき、破断部分がティアテープ６に達し、ティアテープ６に沿って包装用フィルム３が２つに分離していく。この際、ティアテープ６の両側にそれぞれ形成された２つの切り込み２０７ｄは、分離開始端５ａとは反対側の端部からの延長線が互いに交差するように配置されているが、２つの切り込み２０７ｄ間にはティアテープ６が設けられていることにより包装用フィルム３が補強された状態となっており、それにより、これら２つの切り込み２０７ｄが繋がることはない。
【００４０】
また、分離開始端形成部５が図４（ｃ）に示したような構成である場合は、包装用フィルム３の分離開始端５ａを摘み上げ、上方もしくは包装用フィルム３の分離開始端５ａとは反対側に引っ張っていくと、切り込み３０７ｄの分離開始端５ａとは反対側の端部からティアテープ６に沿う領域が破断していく。そして、切り込み３０７ｄの分離開始端５ａとは反対側の端部においては、ティアテープ６に沿う領域が破断する力がティアテープ６側に向くように作用するため、図５（ｃ）に示すように、包装用フィルム３が切り込み３０７ｄの分離開始端５ａとは反対側の端部からティアテープ６側に向くように破断していき、この破断方向に存在する切り込み３０７ｃと繋がり、同様にして破断部分が切り込み３０７ａ，３０７ｂと繋がり、ティアテープ６に沿う領域が破断し、その後、ティアテープ６に沿って包装用フィルム３が２つに分離していく。
【００４１】
また、分離開始端形成部５が図４（ｄ）に示したような構成である場合は、包装用フィルム３の分離開始端５ａを摘み上げ、上方もしくは包装用フィルム３の分離開始端５ａとは反対側に引っ張っていくと、切り込み４０７ｄの分離開始端５ａとは反対側の端部からティアテープ６に沿う領域が破断していく。そして、切り込み４０７ｄの分離開始端５ａとは反対側の端部においては、ティアテープ６に沿う領域が破断する力がティアテープ６側に向くように作用するため、図５（ｄ）に示すように、包装用フィルム３が切り込み４０７ｄの分離開始端５ａとは反対側の端部からティアテープ６側に向くように破断していき、この破断方向に存在する切り込み４０７ｃと繋がり、同様にして破断部分が切り込み４０７ａ，４０７ｂと繋がり、ティアテープ６に沿う領域が破断し、その後、ティアテープ６に沿って包装用フィルム３が２つに分離していく。
【００４２】
また、分離開始端形成部５が図４（ｅ）に示したような構成である場合は、包装用フィルム３の分離開始端５ａを摘み上げ、上方もしくは包装用フィルム３の分離開始端５ａとは反対側に引っ張っていくと、ティアテープ６の両側のうち一方の側においては、切り込み５０８ｄの分離開始端５ａとは反対側の端部からティアテープ６に沿う領域が破断していく。そして、切り込み５０８ｄの分離開始端５ａとは反対側の端部においては、ティアテープ６に沿う領域が破断する力がティアテープ６側に向くように作用するため、図５（ｅ）に示すように、包装用フィルム３が切り込み５０８ｄの分離開始端５ａとは反対側の端部から特にティアテープ６側に向くように破断していき、破断部分がティアテープ６に達する。また、ティアテープ６の両側のうち他方の側においては、切り込み５０７ｄの分離開始端５ａとは反対側の端部からティアテープ６に沿う領域が破断していく。そして、切り込み５０７ｄの分離開始端５ａとは反対側の端部においては、ティアテープ６に沿う領域が破断する力がティアテープ６側に向くように作用するため、図５（ｅ）に示すように、包装用フィルム３が切り込み５０７ｄの分離開始端５ａとは反対側の端部から特にティアテープ６側に向くように破断していき、破断部分がティアテープ６に達する。破断部分がティアテープ６に達すると、ティアテープ６が切断が困難な材料から構成されているため、ティアテープ６に沿って包装用フィルム３が２つに分離していく。
【００４３】
なお、上述した実施の形態においては、分離開始端形成部５を構成する切り込み７ａ〜７ｄ，１０７ａ〜１０７ｄ，２０７ａ〜２０７ｄ，３０７ａ〜３０７ｄ，４０７ａ〜４０７ｄが、ティアテープ６が延びる方向について、包装用フィルム３の分離開始端側の端部から、ティアテープ６が延びる方向に直交する方向に延びる延長線が、切り込み７ａ〜７ｃ，１０７ａ〜１０７ｃ，２０７ａ〜２０７ｃ，３０７ａ〜３０７ｃ，４０７ａ〜４０７ｃに対して包装用フィルム３の分離開始端側にて隣接する切り込み７ｂ〜７ｄ，１０７ｂ〜１０７ｄ，２０７ｂ〜２０７ｄ，３０７ｂ〜３０７ｄ，４０７ｂ〜４０７ｄに交差するように配置されているものを例に挙げて説明したが、分離開始端形成部５として、ただ単にカット部とタイ部とがティアテープ６が延びる方向に並んだミシン目を用いてもよい。
【００４４】
また、上述した実施の形態においては、分離開始端形成部５が、ティアテープ６の片側について４つの切り込み７ａ〜７ｄ，１０７ａ〜１０７ｄ，２０７ａ〜２０７ｄ，３０７ａ〜３０７ｄ，４０７ａ〜４０７ｄ，５０７ａ〜５０７ｄ，５０８ａ〜５０８ｄからなるものを例に挙げて説明したが、その数は４つに限らない。
【００４５】
また、包装用フィルム３を２つに分離するための分離用補強線は、上述したように包装用フィルムシート１の裏面にティアテープ６を貼着した構成に限らず、包装用フィルムシート１の表面に、例えばＵＶ硬化型インクを用いた印刷を施すことによってその領域の破断力を包装用フィルム３よりも強くした構成を有するものとしてもよい。
【符号の説明】
【００４６】
１    包装用フィルムシート
２    芯材
３    包装用フィルム
４    貼着部
５    分離開始端形成部
５ａ    分離開始端
６    ティアテープ
７ａ〜７ｄ，１０７ａ〜１０７ｄ，２０７ａ〜２０７ｄ，３０７ａ〜３０７ｄ，４０７ａ〜４０７ｄ，５０７ａ〜５０７ｄ，５０８ａ〜５０８ｄ    切り込み
１０    容器
【図１】
2011240956.tif 000003
【図２】
2011240956.tif 000004
【図３】
2011240956.tif 000005
【図４】
2011240956.tif 000006
【図５】
2011240956.tif 000007
【図６】
2011240956.tif 000008
【図７】
2011240956.tif 000009